(57)【要約】【課題】遊技者の操作感覚をより確実に変化させうる構成をより簡易に実現する。【解決手段】遊技機用操作スイッチ１０は、電界又は磁界を発生させる発生部と、操作部材２２の変位と連動して変位すると共に少なくとも一部が機能性流体１０２に浸漬された状態で配置される変位部１２０とを備えた抵抗装置１００を有する。この抵抗装置１００は、発生部が機能性流体１０２に電界又は磁界を与えたときに、発生部が機能性流体１０２に対して電界又は磁界を与えていないときよりも操作部材２２の変位に逆らう抵抗力を増大させる構成をなす。【選択図】図５
2017213354.tif 000002
【特許請求の範囲】
【請求項１】
遊技機において遊技者による外部操作が可能に設けられる遊技機用操作スイッチであって、
遊技機に直接又は他部材を介して間接的に取り付けられるベース部材と、
前記ベース部材に保持され、前記ベース部材に対して基準位置から所定方向に所定の範囲内で相対的に変位可能に配置された操作部材と、
電界又は磁界を発生させる発生部と、電界又は磁界が与えられることにより粘性が変化する機能性流体を収容する収容部と、前記操作部材の変位と連動して変位すると共に、少なくとも一部が前記収容部内において前記機能性流体に浸漬された状態で配置される変位部とを備え、前記発生部が前記機能性流体に対して電界又は磁界を与えたときに、前記発生部が前記機能性流体に対して電界又は磁界を与えていないときよりも前記操作部材の変位に逆らう抵抗力を増大させる抵抗手段と、
を有することを特徴とする遊技機用操作スイッチ。
【請求項２】
前記発生部による電界又は磁界の発生を制御する制御手段を有する請求項１に記載の遊技機用操作スイッチ。
【請求項３】
前記操作部材を所定位置に移動させ得る移動手段を有し、
前記制御手段は、前記操作部材が前記所定位置にあるときに前記発生部に対し電界又は磁界を発生させる制御を行う請求項２に記載の遊技機用操作スイッチ。
【請求項４】
前記操作部材と前記抵抗手段の前記変位部とを連動させる伝達機構を有することを特徴とする請求項１から請求項３のいずれか一項に記載の遊技機用操作スイッチ。
【請求項５】
前記機能性流体は、磁界が与えられることにより粘性が変化する磁気粘性流体であり、
前記発生部は、励磁状態と非励磁状態とに切り替え可能に構成され励磁状態のときに前記収容部に収容された前記磁気粘性流体に及ぶ磁束を発生させる電磁石であることを特徴とする請求項１から請求項４のいずれか一項に記載の遊技機用操作スイッチ。
【請求項６】
前記機能性流体は、電界が与えられることにより粘性が変化する電気粘性流体であり、
前記発生部は、前記収容部における前記電気粘性流体の収容領域を挟むように配置された電極対であることを特徴とする請求項１から請求項４のいずれか一項に記載の遊技機用操作スイッチ。
【請求項７】
前記操作部材は、前記所定の範囲内で往復動可能となるように前記ベース部材に保持され、
前記操作部材を前記所定の範囲の一端と他端の間の所定中間位置で保持する保持手段を有することを特徴とする請求項１から請求項６のいずれか一項に記載の遊技機用操作スイッチ。
【請求項８】
前記操作部材が所定の変位状態となったことを検知する検知手段と、
前記検知手段により前記所定の変位状態が検知された場合に前記遊技機において所定の演出を行う演出制御手段と、
を有することを特徴とする請求項１から請求項７のいずれか一項に記載の遊技機用操作スイッチ。
【請求項９】
請求項１から請求項８のいずれか一項に記載の遊技機用操作スイッチを備えることを特徴とする遊技機。
【発明の詳細な説明】
【技術分野】
【０００１】
本発明は、遊技機用操作スイッチ及びそれを備えた遊技機に関するものである。
【背景技術】
【０００２】
従来、パチンコ機、アレパチ機等の弾球遊技機や、スロットマシン、パチスロ機等の回胴式遊技機など、様々な遊技機が提供されており、その中には、遊技機で行われる演出に遊技者が参加することを可能としたいわゆるプレイヤー参加型の遊技機もある。プレイヤー参加型の遊技機としては、遊技者による押圧移動操作（プッシュ操作）が可能な操作スイッチを備えたものなどが提供されており、例えば、液晶表示部でのナビゲーション表示（告知表示）に応じて遊技者が操作ボタンを押圧移動操作することにより表示内容を決定したり、実行したりすることができるようになっている。
【先行技術文献】
【特許文献】
【０００３】
【特許文献１】特開２０１０−１２４８３６号公報
【特許文献２】特許第５５６８７２０号公報
【発明の概要】
【発明が解決しようとする課題】
【０００４】
しかし、この種のプレイヤー参加型遊技機で行うことができる参加操作は、ただ単に操作スイッチを押すだけといった単純な操作であることが多く、その操作スイッチ自体の演出効果は単調となり新鮮味に欠け、遊技者の遊技に対する興趣を十分に喚起できないという問題があった。
【０００５】
これに対し、特許文献１には、操作ボタンの押圧操作に抗するボタン反力を増加する負荷増減手段を有する演出ボタン装置が開示されている。この演出ボタン装置は、操作ボタンを押圧操作がなされる方向とは反対の方向へ付勢する付勢手段と、操作ボタンの奥側に移動可能に配設された基台（可動基台）とを備え、この可動基台を基台移送手段によって操作ボタン側へ移送して操作ボタンのボタン反力を増加し、可動基台を操作ボタンの押圧操作とは反対方向へ移送してボタン反力を初期状態に復帰する構成をなしている。
【０００６】
しかし、特許文献１の構成では、ばねの長さを変化させることで抵抗力を変化させる構成であるため、抵抗力は多少変化するものの、大きく変化させることはできなかった。このため、遊技者がその変化を確実に体感し得るとは言い難く、操作感覚の変化によって遊技者に面白みを与えるという目的を達成しにくかった。
【０００７】
別の例としては、特許文献２のような技術も提案されている。特許文献２で開示される弾球遊技機は、演出ボタンリフレクタに対してブレーキパッドを接触させた状態と非接触の状態とで切り替え可能に構成され、このような切り替えにより負荷率を変化させている。しかし、このようにブレーキパッドを接触又は非接触に切り替える構成では、負荷率を変化させる度にブレーキパッドを変位させて演出ボタンリフレクタに押し当てなければならない。このような構成では、ブレーキパッドと演出ボタンリフレクタとを対峙して設けなければならず、設置場所が限られてしまい、設計の自由度が小さいという問題がある。また、押し当て時に衝撃が加わりやすく、しかも常に同一の押し当て面が接触することになるため、ブレーキパッドの押し当て面に摩耗や損傷が生じやすく、これが進行すると適正なブレーキ動作がなされなくなる虞もある。
【０００８】
本発明は、遊技者の操作感覚をより確実に変化させうる構成をより簡易に実現することを目的とする。
【課題を解決するための手段】
【０００９】
本発明の遊技機用操作スイッチは、
遊技機において遊技者による外部操作が可能に設けられる遊技機用操作スイッチであって、
遊技機に直接又は他部材を介して間接的に取り付けられるベース部材と、
前記ベース部材に保持され、前記ベース部材に対して基準位置から所定方向に所定の範囲内で相対的に変位可能に配置された操作部材と、
電界又は磁界を発生させる発生部と、電界又は磁界が与えられることにより粘性が変化する機能性流体を収容する収容部と、前記操作部材の変位と連動して変位すると共に、少なくとも一部が前記収容部内において前記機能性流体に浸漬された状態で配置される変位部とを備え、前記発生部が前記機能性流体に対して電界又は磁界を与えたときに、前記発生部が前記機能性流体に対して電界又は磁界を与えていないときよりも前記操作部材の変位に逆らう抵抗力を増大させる抵抗手段と、
を有することを特徴とする。
【発明の効果】
【００１０】
本発明の遊技機用操作スイッチは、電界又は磁界を発生させる発生部と、操作部材の変位と連動して変位すると共に少なくとも一部が機能性流体に浸漬された状態で配置される変位部とを備えた抵抗手段を有する。この抵抗手段は、発生部が機能性流体に電界又は磁界を与えたときに、発生部が機能性流体に対して電界又は磁界を与えていないときよりも操作部材の変位に逆らう抵抗力を増大させる構成をなす。
【００１１】
この構成によれば、発生部が機能性流体に電界又は磁界を与えたときに操作部材の変位に逆らう抵抗力を相対的に大きくすることができるため、この状態で操作部材を操作したときには相対的に大きい抵抗力に抗した操作を行うような操作感覚となる。一方、発生部が機能性流体に電界及び磁界を与えていないときには操作部材の変位に逆らう抵抗力が相対的に小さいため、この状態で操作部材を操作したときには相対的に抵抗力をそれほど感じることなく操作を行うような操作感覚となる。特に、変位部と直接接触する機能性流体の粘性を変化させることで抵抗力を変化させることができるため、大きな抵抗力の変化を生じさせやすく、しかも、変位部に接触する部分が機能性流体であるため摩耗や損傷などの問題も生じにくい。このように、本構成によれば、遊技者の操作感覚をより確実に変化させうる構成をより簡易に実現することができる。
【００１２】
本発明の遊技機用操作スイッチは、発生部による電界又は磁界の発生を制御する制御手段を有していてもよい。
【００１３】
この構成によれば、遊技者の操作感覚を変化させる制御を制御手段によって電気的に行うことができる。
【００１４】
本発明の遊技機用操作スイッチは、操作部材を所定位置に移動させ得る移動手段を有していてもよい。そして、制御手段は、操作部材が所定位置にあるときに発生部に対し電界又は磁界を発生させる制御を行う構成であってもよい。
【００１５】
この構成によれば、所定位置にある操作部材を操作するときに相対的に大きい抵抗力を生じさせ得る装置を実現できる。
【００１６】
本発明の遊技機用操作スイッチは、操作部材と抵抗手段の変位部とを連動させる伝達機構を有していてもよい。
【００１７】
この構成によれば、操作部材から離れた位置に変位部を設けることができるため、設計上の自由度が高まり、変位部や機能性流体などを操作部材から離れた位置に配置することが望まれる構成において有利になる。また、伝達機構をギア機構としてもよく、ギア機構のギア比を調整することで、抵抗力を調整することができる。
【００１８】
本発明の遊技機用操作スイッチにおいて、機能性流体は、磁界が与えられることにより粘性が変化する磁気粘性流体であってもよい。発生部は、励磁状態と非励磁状態とに切り替え可能に構成され励磁状態のときに収容部に収容された磁気粘性流体に及ぶ磁束を発生させる電磁石であってもよい。
【００１９】
この構成によれば、遊技者の操作感覚をより確実に変化させうる構成を、磁気粘性流体や電磁石などを用いてより簡易に実現することができる。
【００２０】
本発明の遊技機用操作スイッチにおいて、機能性流体は、電界が与えられることにより粘性が変化する電気粘性流体であってもよい。発生部は、収容部における電気粘性流体の収容領域を挟むように配置された電極対であってもよい。
【００２１】
この構成によれば、遊技者の操作感覚をより確実に変化させうる構成を、電気粘性流体や電極対などを用いてより簡易に実現することができる。
【００２２】
本発明の遊技機用操作スイッチにおいて、操作部材は、所定の範囲内で往復動可能となるようにベース部材に保持されていてもよい。そして、操作部材を所定の範囲の一端と他端の間の所定中間位置で保持する保持手段を有していてもよい。
【００２３】
この構成によれば、操作部材が所定の範囲で往復動可能且つ所定の中間位置で保持可能とされた装置において、遊技者の操作感覚をより確実に変化させうる構成を付加することができる。
【００２４】
本発明の遊技機用操作スイッチは、操作部材が所定の変位状態となったことを検知する検知手段と、検知手段により所定の変位状態が検知された場合に遊技機において所定の演出を行う演出制御手段と、を有していてもよい。
【００２５】
この構成によれば、操作部材が所定の変位状態とされたときに遊技機において所定の演出を行うことができ、このような操作部材において遊技者の操作感覚を変化させる動作を行うことで、遊技に一層の面白みをもたせることができる。
【００２６】
本発明は、上記遊技機用操作スイッチを備えた遊技機として構成されていてもよい。
【００２７】
この遊技機によれば、上記遊技機用操作スイッチと同様の効果を奏することができる。
【図面の簡単な説明】
【００２８】
【図１】図１は、第１実施形態に係る遊技機用操作スイッチ及びそれを用いた遊技機を概略的に例示する斜視図である。
【図２】図２は、第１実施形態に係る遊技機用操作スイッチを概略的に例示する斜視図である。
【図３】図３は、図２の遊技機用操作スイッチの分解斜視図である。
【図４】図４は、図２の遊技機用操作スイッチを図３とは異なる方向から示す分解斜視図である。
【図５】図５は、第１実施形態に係る遊技機用操作スイッチにおいて操作部材が基準位置（通常位置）にあるときの断面概略図である。
【図６】図６は、操作部材が基準位置（通常位置）にあるときの側断面概略図である。
【図７】図７は、第１実施形態に係る遊技機用操作スイッチにおいて操作部材が特別位置にあるときの断面概略図である。
【図８】図８は、操作部材が特別位置にあるときの側断面概略図である。
【図９】図９は、第１実施形態に係る遊技機用操作スイッチにおいて操作部材が押下位置にあるときの断面概略図である。
【図１０】図１０は、操作部材が押下位置にあるときの側断面概略図である。
【図１１】図１１は、第１実施形態に係る遊技機用操作スイッチについて歯車連動機構の上位置付近で切断した断面概略図である。
【図１２】図１２は、第１実施形態に係る遊技機用操作スイッチについて図１１とは異なる位置で切断した断面概略図である。
【図１３】図１３は、抵抗装置の断面を拡大して概略的に示す断面概略図である。
【図１４】図１４は、第２実施形態に係る遊技機用操作スイッチにおいて操作部材が基準位置（通常位置）にあるときの断面概略図である。
【図１５】図１５は、操作部材が基準位置（通常位置）にあるときの側断面概略図である。
【図１６】図１６は、第２実施形態に係る遊技機用操作スイッチにおいて操作部材が特別位置にあるときの断面概略図である。
【図１７】図１７は、第２実施形態に係る遊技機用操作スイッチにおいて操作部材が押下位置にあるときの断面概略図である。
【図１８】図１８は、第３実施形態に係る遊技機用操作スイッチの断面概略図である。
【図１９】図１９は、第４実施形態に係る遊技機用操作スイッチの平面図である。
【図２０】図２０は、第４実施形態に係る遊技機用操作スイッチのＡ−Ａ断面概略図である。
【図２１】図２１は、第５実施形態に係る遊技機用操作スイッチの断面概略図である。
【図２２】図２２は、第６実施形態に係る遊技機用操作スイッチの断面概略図である。
【図２３】図２３は、第７実施形態に係る遊技機用操作スイッチの一部を示す斜視図である。
【図２４】図２４（Ａ）は、第７実施形態に係る遊技機用操作スイッチについて、操作部が基準位置にある状態を部分的に示す正面図であり、図２４（Ｂ）は、その背面図である。
【図２５】図２５（Ａ）は、第７実施形態に係る遊技機用操作スイッチについて、操作部が特別位置にある状態を部分的に示す正面図であり、図２５（Ｂ）は、その背面図である。
【図２６】図２６は、第８実施形態に係る遊技機用操作スイッチについて、操作部材が基準位置（通常位置）にあるときの側断面概略図である。
【図２７】図２７は、第９実施形態に係る遊技機用操作スイッチを概略的に例示する斜視図である。
【図２８】図２８は、図２７の遊技機用操作スイッチを操作ユニットと伝達機構とに分解した斜視図である。
【図２９】図２９は、図２７の遊技機用操作スイッチの分解斜視図である。
【図３０】図３０は、図２７の遊技機用操作スイッチを図２９とは異なる方向から示す分解斜視図である。
【図３１】図３１は、第９実施形態に係る遊技機用操作スイッチにおいて操作部材が基準位置（通常位置）にあるときの断面概略図である。
【図３２】図３２は、第９実施形態に係る遊技機用操作スイッチにおいて操作部材が基準位置（通常位置）から所定範囲内で可動したときの断面概略図である。
【図３３】図３３は、他の実施形態の抵抗装置の断面を拡大して概略的に示す断面概略図である。
【発明を実施するための形態】
【００２９】
[第１実施形態]
以下、本発明に係る遊技機用操作スイッチ及びそれを備えた遊技機を具現化した第１実施形態について、図面を参照して説明する。
【００３０】
図１に示すように、遊技機（以下、パチンコ機ともいう）１は、その外郭を形成する額縁状の外枠２を備えている。外枠２には、ヒンジ部を介して前面側に向かって片開き可能な内枠３が支持されている。内枠３には、同様にヒンジ部を介して前面側に向かって片開き可能な前枠４が支持されている。内枠３には、図示しないガイドレールにより前面側に遊技領域が形成された遊技盤が装着され、その遊技盤の下方に遊技領域に向けて遊技球を発射する球発射装置が設けられている。
【００３１】
前枠４は、遊技盤の遊技領域に対応した窓部４Ａが厚み方向に貫通形成されて開口している。そして、前枠４の後面側には、窓部４Ａを閉塞するように透明板４Ｂが着脱可能に配置されている。透明板４Ｂは、前枠４が内枠３に対して閉状態のときに窓部４Ａを介して遊技領域を視認可能としている。また、前枠４の前面下側には、貸球や賞球等の遊技球を一時的に貯留し、その貯留した遊技球を整流して球発射装置に供給する球受皿５と、球発射装置が遊技球を発射する発射力を調節するための発射ハンドル６とが設けられている。そして、球受皿５の上面には、遊技者が操作可能なように外壁部から少なくとも一部が露出する構成で遊技機用操作スイッチ１０が設けられている。
【００３２】
本明細書では、透明板４Ｂの前面と直交する方向が前後方向であり、遊技者側を前方側、遊技盤側（パチンコ機１の奥側）を後方側としている。図１の例では、図示しない遊技盤の盤面と直交する方向が前後方向となっている。また、透明板４Ｂに沿う態様で遊技領域が構成され、この遊技領域において遊技球が流下する方向を上下方向としている。図１の例では、鉛直方向が上下方向となっている。また、これら前後方向及び上下方向と直交する方向を左右方向としている。
【００３３】
以下、遊技機用操作スイッチ（以下、操作スイッチともいう）１０について詳しく説明する。
図１で示す操作スイッチ１０は、パチンコ機１において待機状態を含む遊技状態に応じて、遊技者による外部操作が可能に設けられており、図２のように、遊技者による所定の人為的操作が可能に構成された操作部材２２と、この操作部材２２を変位可能に保持するベース部材３０と、操作部材２２を所定位置に移動させ得る移動装置１２（図５も参照）と、操作部材２２に抵抗力を与える抵抗装置１００と、電磁石１３０による磁界の発生を制御する制御回路１４０（図１３参照）とを有する。
【００３４】
操作部材２２は、図３、図４のように、円筒形状をなす本体部２２Ａと、この本体部２２Ａの上端部に一体的に連結された平面視円形形状の上面部２２Ｂとを有し、上端部が閉塞され下端部が開放した円筒状に構成されている。操作部材２２は、操作部２０の一部として機能し、図１のように上面部２２Ｂが外部に露出して配置され、この上面部２２Ｂが遊技者に押圧操作される被押圧部として機能する。
【００３５】
図２、図３で示す操作部材２２の上面部２２Ｂは、例えば光を透過する光透過性材料で形成してもよく、操作部材２２の内部にＬＥＤなどの発光手段を配置した場合、この発光手段から照射される光が上面部２２Ｂを介して外部に放出されることになる。図３のように、本体部２２Ａの下端部には、複数の延出部２６が下方側に延出した形で形成されており、この延出部２６とボタンベース２４の周縁部とがねじ部材などの連結部材によって連結されるようになっている。
【００３６】
図３で示すボタンベース２４は、操作部材２２（本体部２２Ａ）の下端部に連結されることで操作部２０の底部材として機能する。このボタンベース２４には、厚さ方向に貫通した貫通孔部２４Ａ，２４Ｂが形成されており、貫通孔部２４Ａ，２４Ｂに連通するようにボタンベース２４の下面には、後述する昇降ガイド軸３６Ａ，３６Ｂに対して摺動可能に支持する支持孔部２９Ａ，２９Ｂがそれぞれ形成された軸支持部２８Ａ，２８Ｂが取り付けられる。支持孔部２９Ａ，２９Ｂは、孔の向きが上下方向となっており、後述する昇降ガイド軸３６Ａ，３６Ｂに嵌合することで、昇降ガイド軸３６Ａ，３６Ｂに対して操作部２０が上下方向に所定の姿勢を安定維持する機能を有する。また、ボタンベース２４の周縁下面には側面略Ｌ字状に半径方向に延びる延出部２４Ｃが形成されており、後述する操作部２０の位置を検出する検知部として機能する。
【００３７】
操作部材２２は、図５のように、後述するベース部材３０に保持されるとともにベース部材３０に対して基準位置から所定方向に所定の範囲内で相対的に変位可能に配置されている。具体的には、操作部材２２とボタンベース２４とが連結して構成される操作部２０がベース部材３０に保持されつつ上下動する構成をなす（図５〜図１０参照）。なお、操作部材２２の具体的な動作については後述する。
【００３８】
本構成では、上下方向が上記所定方向（操作部材２２の移動方向）であり、操作部材２２は、上下方向に所定範囲内で変位し得る構成をなす。具体的には、図５、図６で示す操作部材２２の位置が基準位置の例であり、操作部材２２は、図７、図８で示す操作部材２２の位置（最上部まで上昇した特別位置）から、図９、図１０で示す操作部材２２の位置（最下部まで下降した押下位置）までの範囲内で上下に移動し得る。
【００３９】
ベース部材３０は、図２のような構成をなし、パチンコ機１に直接又は他部材を介して間接的に取り付けられる。図３、図４のように、ベース部材３０は、操作部材２２の本体部２２Ａよりも径の大きい筒状に構成され、操作部材２２の周囲を囲むように操作部材２２を覆うカバー部材３２と、このカバー部材３２の下端部に連結された板状の昇降ベース３４とを有する。カバー部材３２は、円筒形状をなし本体部２２Ａを収容する円筒状部３２Ａと、円筒状部３２Ａの下端部から径方向外側に延出した形態をなす平面視円形状のフランジ部３２Ｂとを有する。なお、ベース部材３０は、図５〜図１０に示すように下方が開放したカバー体９６で覆われており、カバー体９６の上壁中央に開設された開口部９６Ａを介して操作部２０を構成する操作部材２２が昇降するようになっている。
【００４０】
昇降ベース３４の上面部には、図３のように、カバー部材３２のフランジ部３２Ｂと嵌まり合う環状の溝部３４Ａが形成されており、昇降ベース３４の上面部は、溝部３４Ａ内にフランジ部３２Ｂが収まった状態でねじ等の連結部材によってフランジ部３２Ｂに連結される構成をなす。また、昇降ベース３４の上面部には、図３、図５のように、後述する昇降機構４０の一部（回動アーム４４）を回動可能に保持する保持部３４Ｂが形成されており、この保持部３４Ｂによって昇降ベース３４と昇降機構４０の一部（回動アーム４４）とが連結されている。
【００４１】
昇降ベース３４には、図６のように、昇降ベース３４から上方に立ち上がるように２本の昇降ガイド軸３６Ａ，３６Ｂが略平行に固定されており、昇降ガイド軸３６Ａ，３６Ｂの上端部には、昇降ガイドベース３８が固定されている。昇降ガイド軸３６Ａ，３６Ｂは、操作部２０のボタンベース２４と摺動可能に嵌合し、操作部２０を上下方向に安定した状態でガイドする機能を有する。
【００４２】
図５で示す移動装置１２は、移動手段の一例に相当し、操作部材２２を所定位置に移動させ得る装置として構成されている。移動装置１２は、伝達機構１４と伝達機構１４に駆動力を与える駆動源としてのモータ１８とを有する。
【００４３】
伝達機構１４は、操作部材２２を昇降させる昇降機構４０と、複数のギアを回転させて連動させる回転連動機構５０とを備える。伝達機構１４は、モータ１８の回転と連動させて操作部材２２を変位させる機能を有するとともに、操作部材２２と抵抗装置１００の変位部１２０とを連動させる機能を有する。
【００４４】
図３、図５等で示す昇降ベース３４の下方には第１ケース体９１と第２ケース体９２とで構成されるケース体９０が固定されており、このケース体９０の内部にギア群を備えたギア機構からなる回転連動機構５０が収容されており、回転連動機構５０を構成するギア群の各ギアを第１ケース体９１と第２ケース体９２とで回転軸線方向両側から挟み込む構成をなしている。そして、第１ケース体９１の外側には、モータ１８と抵抗装置１００がケース体９０に収容された回転連動機構５０と連係するように固定されている。
【００４５】
回転連動機構５０は、図５、１１に示すように、モータ１８の駆動軸１８Ａ（回転軸）に連結され所定の回転軸線Ｘ１回りに回転する第１ギア５１と、第１ギア５１と噛み合うと共に回転軸線Ｘ２回りに回転する第２ギア５２と、第２ギア５２と噛み合うと共に回転軸線Ｘ３回りに回転する第３ギア５３と、第３ギア５３と噛み合うと共に回転軸線Ｘ４回りに回転する第４ギア５４と、第４ギア５４と噛み合うと共に回転軸線Ｘ５回りに回転する第５ギア５５と、第５ギア５５と噛み合うと共に回転軸線Ｘ６回りに回転する第６ギア５６からなるギア群を備える。回転軸線Ｘ１，Ｘ２，Ｘ３，Ｘ４，Ｘ５，Ｘ６は、平行な位置関係となっている。
【００４６】
図１１、図１２で示すモータ１８は、例えばステッピングモータなどによって構成され、図１３で示す制御回路１４０によって駆動軸１８Ａの変位（回転量）が制御される。モータ１８の駆動軸１８Ａに連結された第１ギア５１は、ケース体９０の内部において所定の回転軸線Ｘ１を中心として回動するようにケース体９０（第１ケース体９１）に固定されたモータ１８によって保持されている。図５のように、第２ギア５２は、第１ギア５１と噛み合うとともに回転軸線Ｘ１と平行な回転軸線Ｘ２を中心として回転し得るようにケース体９０に回転可能に保持されている。第３ギア５３は、後述する抵抗装置１００における変位部１２０の一部（回転軸部１２２）に連結されており、第２ギア５２と噛み合うとともに回転軸線Ｘ１と平行な回転軸線Ｘ３を中心として回転し得るようにケース体９０（第１ケース体９１）に固定された抵抗装置１００によって保持されている。第４ギア５４は、第３ギア５３と噛み合うとともに回転軸線Ｘ１と平行な回転軸線Ｘ４を中心として回転し得るようにケース体９０に回転可能に保持されている。第５ギア５５は、第４ギア５４と噛み合うとともに回転軸線Ｘ１と平行な回転軸線Ｘ５を中心として回転し得るようにケース体９０に回転可能に保持されている。第６ギア５６は、第５ギア５５と噛み合うとともに回転軸線Ｘ１と平行な回転軸線Ｘ６を中心として回転し得るようにケース体９０に回転可能に保持されている。第６ギア５６はカム部６２と一体的に構成され、これらによってカム部品６０が構成されている。このように構成される回転連動機構５０は、モータ１８が回転すると第１ギア５１、第２ギア５２、第３ギア５３、第４ギア５４、第５ギア５５、第６ギア５６が全て連動して回転し、カム部６２を回転させるように動作する。また、逆にカム部品６０（カム部６２）に回転力が与えられても、回転連動機構５０は第１ギア５１、第２ギア５２、第３ギア５３、第４ギア５４、第５ギア５５、第６ギア５６が全て連動して回転するように動作する。回転連動機構５０のギア群の中ではモータ１８の駆動軸１８Ａに連結される第１ギア５１が最も大径であり、第２ギア５２、第３ギア５３、第４ギア５４、第５ギア５５のギア比が第１ギア５１の１／２程度となっており、カム部６２と一体的に構成された第６ギア５６はさらに小径となってギア比が第１ギア５１の２／５程度となっている。したがって、モータ１８の回動に対してカム部品６０がより多く回転する構成となっている。
【００４７】
昇降機構４０は、図５で示すように、カム部品６０のカム部６２と、第１昇降部材４２と、第２昇降部材４６と、回動アーム４４とを備える。
【００４８】
第１昇降部材４２は、図５、６のように、上述したボタンベース２４の下面部にねじ等の連結部材によって固定され、ボタンベース２４から下方に延びる形で配置されるとともに上下に長い長手状の形態をなす。この第１昇降部材４２は、上述した操作部２０と一体的に変位し、上下方向に移動するように構成されている。第１昇降部材４２の下端部付近には、図３、６のように、回動アーム４４が連係する水平方向に長い長孔部４２Ａが形成されている。また、第１昇降部材４２の側部には第１昇降部材４２の昇降をガイドする板状のガイド部４２Ｂが形成されており、ガイド部４２Ｂの下端部は後述する操作部２０の押下位置を検出する検知部として機能する。
【００４９】
回動アーム４４は、図５のように、一端部が昇降ベース３４の保持部３４Ｂに回転可能に軸支され、図６のように、他端部に形成された突起部４４Ａが第１昇降部材４２に形成された長孔部４２Ａに挿入された形で係合している。また、回動アーム４４の中間部には第２昇降部材４６に連係する突起部４４Ｂが形成されている。そして、回動アーム４４は、図５のように、回転連動機構５０のギア群の回転軸線Ｘ１〜Ｘ６と平行な回動軸線Ｘ７を中心として回動する構成をなし、回動アーム４４の回動に応じて突起部４４Ａ、４４Ｂが上下動し、この上下動と連動して第１昇降部材４２及び第２昇降部材４６が上下動するようになっている。
【００５０】
第２昇降部材４６は、図３、５のように、上端部付近には、回動アーム４４と連係する水平方向に長い長孔部４６Ａが形成されており、下端部にはカム部６２の外周部と接触し得る構成をなすローラ４６Ｂが設けられている。第２昇降部材４６は、上端部の長孔部４６Ａに回動アーム４４の突起部４４Ｂが挿入された状態で係合し、長手方向を上下方向とした姿勢を保ちつつ上下動し得るように保持されている。
【００５１】
カム部６２は、上述した第６ギア５６と一体的に構成されており、回転軸線Ｘ６を中心とする半径方向に広がる構成をなすとともに回転軸線Ｘ６を中心として回転する構成をなす。カム部６２の外周部（カム面）は、周方向において回転軸線Ｘ６からの距離が漸次連続的に変化する曲面構成をなし、第２昇降部材４６のローラ４６Ｂと摺接して操作部２０を昇降させる。このとき、ローラ４６Ｂは回転しながらカム部６２の外周部（カム面）と摺接するため、抵抗が軽減される。
【００５２】
抵抗装置１００は、抵抗手段の一例に相当し、図２のようにケース体９０（第１ケース体９１）に固定され、図１３のような内部構成をなしている。抵抗装置１００は、図１３のように、収容空間部１０４Ａがキャビティ状に形成されるハウジング１０４と、ハウジング１０４内に収容される電磁石１３０と、ハウジング１０４内に挿入されるとともに操作部材２２の変位と連動して回転し、少なくとも一部が収容部１１０内において機能性流体１０２に浸漬された状態で配置される変位部１２０とを備える。この抵抗装置１００は、電磁石１３０が機能性流体１０２に対して磁界を与えたとき、電磁石１３０が機能性流体１０２に対して磁界を与えていないときよりも、操作部材２２の変位に逆らう抵抗力を増大させる機能を有する。
【００５３】
変位部１２０は、所定の回転軸線Ｘ３周りに回転する回転部として機能し、軸状に構成され所定方向に延びるように配置される回転軸部１２２と、この回転軸部１２２の外周部から外側にフランジ状に張り出す回転翼１２４とを備えて構成され、回転翼１２４の全部がハウジング１０４に形成された収容部１１０内において機能性流体１０２に浸漬された状態で配置されている。
【００５４】
ハウジング１０４の収容空間部１０４Ａは、内壁面が所定の径の円筒面として構成される一対の保持空間部１０５Ａ，１０５Ｂと、これら保持空間部１０５Ａ，１０５Ｂの間に形成され、内壁面が保持空間部１０５Ａ，１０５Ｂの径よりも大きい径の円筒面として構成された収容部１１０を有する。この収容部１１０には、変位部１２０の一部と機能性流体１０２が収容される。保持空間部１０５Ａ，１０５Ｂには、変位部１２０の回転軸部１２２を回転可能に支持する軸受部１０６Ａ、１０６Ｂが取り付けられている。軸受部１０６Ａ、１０６Ｂは公知のベアリングとして構成される。また、保持空間部１０５Ａ，１０５Ｂにおいて、収容部１１０との境界付近には、収容部１１０に収容された機能性流体１０２の漏れを防ぐためのシール部材１０８Ａ，１０８Ｂが設けられている。シール部材１０８Ａ，１０８Ｂは、封入パッキンとして構成され、回転軸部１２２の外周面と各保持空間部１０５Ａ，１０５Ｂの内周面との間をシールする。
【００５５】
電磁石１３０は、発生部の一例に相当し、励磁状態と非励磁状態とに切り替え可能に構成され励磁状態のときに収容部１１０に収容された機能性流体１０２に及ぶ磁束を発生させる構成をなす。この電磁石１３０は、通電可能に構成されたコイルが、収容部１１０及び回転翼１２４を環状に囲むように配置されている。そして、例えば、励磁状態のとき（即ち、コイルの通電時）に、回転翼１２４の前面及び後面と交差する方向の磁束が機能性流体１０２に及ぶように電磁石１３０が配置されている。なお、図１３には、磁束の方向を符号Ｗで概念的に示している。
【００５６】
機能性流体１０２は、公知の磁気粘性流体（ＭＲ流体）として構成され、磁界が与えられることにより粘性が変化する特性を有する。この機能性流体１０２は、磁場を変化させることで自由液体から半固体状態まで可逆的に瞬時に変化させることができる流体であり、例えば強磁性粒子（例えばカルボニル鉄）を油液（例えばシリコンオイル）中に分散させた構成をなしている。この機能性流体１０２は、磁場のない状態（電磁石１３０によって磁場が印加されていない場合）には、ニュートン流体として機能し、相対的に粘度が非常に低い流体となる。機能性流体１０２は、外部から磁場が加えられると、磁場の大きさによりせん断応力が変化するビンガム流体として機能し、磁場が印加されていない場合よりも粘度が大幅に高くなる。
【００５７】
図１３の例では、機能性流体１０２内に回転翼１２４が浸漬され、回転翼１２４の前面、後面、外周面が機能性流体１０２に接触している。このように構成された抵抗装置１００は、電磁石１３０の励磁状態のときに非励磁状態のときよりも機能性流体１０２の粘度が上昇する構成をなす。電磁石１３０が非励磁状態のときには、機能性流体１０２の粘度が相対的に低く、このときには回転翼１２４の回転に対する摩擦抵抗が小さいため、回転翼１２４は回転しやすくなる。逆に、電磁石１３０が励磁状態のときには、機能性流体１０２の粘度が相対的に高くなり、このときには回転翼１２４の回転に対する摩擦抵抗が大きいため、回転翼１２４は回転し難くなる。
【００５８】
制御回路１４０は、例えば、マイクロコンピュータなどを有する電子装置として構成されている。制御回路１４０には、抵抗装置１００に設けられた電磁石１３０のコイルの通電と非通電を切り替える駆動回路や演算回路などを備える。また、制御回路１４０は、モータ１８の回転量を制御し得るように構成されている。
【００５９】
ここで、操作スイッチ１０の動作の例を述べる。
後述する所定の遊技条件が成立していない通常時には、制御回路１４０は、モータ１８（図１１）の駆動軸１８Ａを所定の回転基準位置で保つように制御し、このときには、図５、図６のように操作部材２２（操作部２０）の位置が基準位置（通常位置）にある。
【００６０】
ベース部材３０のカバー部材３２には、図５のように、近接センサなどによって構成される検知スイッチ７１，７２が操作部２０の移動に沿って上下に取り付けられており、操作部２０が図５、図６で示す状態になったとき、即ち、操作部材２２が基準位置（通常位置）となったときに検知スイッチ７１によって検知されるようになっている。具体的には、操作部材２２が基準位置となったときには、図５のように延出部２４Ｃが検知スイッチ７１に近接して、検知スイッチ７１が延出部２４Ｃを検知し制御回路１４０に対して検知信号が出力されるようになっている。制御回路１４０は、このような検知信号を取得することで、操作部材２２が基準位置にあることを把握することができる。
【００６１】
そして、所定の遊技条件が成立したときには、制御回路１４０は、図５においてカム部６２が反時計回りに回転するようにモータ１８を回転させ、カム部６２が図７の回転位置になるまでモータ１８の駆動軸１８Ａを回転させる。なお、「所定の遊技条件が成立したとき」の例としては、例えば、図示しない液晶表示部の表示画面でのリーチ演出時や大当たり時等の所定の遊技状態となったときなどが挙げられる。モータ１８の回転駆動によって図５、図６の状態から図７、図８の状態へ変化させる際には、カム部６２の回転（図５において反時計回りの回転）に応じてローラ４６Ｂが摺接する第２昇降部材４６が上昇し、回動アーム４４を図５において反時計回りに上回動させることになる。このように回動アーム４４が回動すると、回動アーム４４の端部に形成された突起部４４Ａ（図６）が係合した第１昇降部材４２も上昇し、これと連動して操作部２０も上昇する。最終的に操作部材２２が図７、図８で示す特別位置に達すると、制御回路１４０はモータ１８の回転を停止させる。
【００６２】
本構成では、操作部２０が図７、図８で示す状態になったとき、即ち、操作部材２２が特別位置となったときに検知スイッチ７２によって検知されるようになっている。具体的には、操作部材２２が特別位置となったときに図７のように延出部２４Ｃが検知スイッチ７２に近接して、検知スイッチ７２が延出部２４Ｃを検知し制御回路１４０に対して検知信号が出力されるようになっている。制御回路１４０は、このような検知信号を取得することで、操作部材２２が特別位置にあることを把握することができる。
【００６３】
そして、図７、図８のような操作部材２２が特別位置の状態のときに遊技者により操作部材２２が下方側に押されると、操作部２０と第１昇降部材４２が一体的に下降するとともに、第１昇降部材４２と連係する回動アーム４４が図７において時計回りに下回動し、これと連動して第２昇降部材４６が下降する。すると、カム部６２の外周部が第２昇降部材４６によって押され、図７において時計回りに回動する。操作部材２２は、図９、図１０で示す押下位置まで下降することができるようになっている。
【００６４】
ケース体９０（第２ケース体９２）には、図３、図９に示すように、近接センサなどによって構成される検知スイッチ７３が取り付けられており、操作部２０が図９、図１０で示す状態になったとき、即ち、操作部材２２が押下位置となったときに検知スイッチ７３によって検知されるようになっている。具体的には、操作部材２２が押下位置となったときには、図９のように第１昇降部材４２のガイド部４２Ｂが検知スイッチ７３に近接して、検知スイッチ７３がガイド部４２Ｂを検知し制御回路１４０に対して検知信号が出力されるようになっている。制御回路１４０は、このような検知信号を取得することで、操作部材２２が押下位置にあることを把握することができる。
【００６５】
このような動作が、操作スイッチ１０の基本動作であるが、本構成では、更に、制御回路１４０による抵抗装置１００の制御が付加される。具体的には、制御回路１４０は、操作部材２２が所定位置にあるときに電磁石１３０（発生部）に対して磁界を発生させる制御を行い、抵抗装置１００において変位部１２０の回転に対する抵抗力（変位部１２０を回転させようとする力に逆らう力）を磁界が発生していないときよりも増大させる。
【００６６】
例えば、図７、図８で示す特別位置を「所定位置」とすることができ、この場合、操作部材２２が特別位置になったとき、或いは操作部材２２が特別位置になったときであって所定条件が成立しているときに、制御回路１４０は、電磁石１３０（発生部）を励磁状態に制御して磁界を発生させ、機能性流体１０２の粘度を増大させる。これにより、回転軸部１２２の回転に対する抵抗力が増大し、回転軸部１２２に連結された第３ギア５３が回りにくくなるため、第３ギア５３と連動するカム部６２が回転しにくくなる。このため、遊技者は操作部材２２を押したときに、電磁石１３０（発生部）が機能性流体１０２に対して磁界を与えていない状態、つまり回転連動機構５０を回転させるだけの抵抗に抗して押圧するときと比して、押圧時の抵抗力が増大し、操作感覚の変化（操作部材２２が押下されにくくなった変化）を確実に感じることができる。なお、この場合、操作部材２２が特別位置にないときには電磁石１３０を非励磁状態で維持すればよい。
【００６７】
また、本構成では、このような操作部材２２の押下操作によって図９、図１０で示す押下位置となり、検知スイッチ７３から制御回路１４０に対して検知信号が出力された場合には、所定の演出を行うようにしてもよい。所定の演出は様々であり、例えば、遊技盤に設けられた表示装置において特別な静止画や動画を表示させるなどの演出であってもよく、遊技機に設けられた演出装置（ギミック）の可動により演出を変化させてもよく、特別なランプ表示や音声、振動などを行ってもよい。なお、この例では、検知スイッチ７３が、検知手段の一例に相当し、操作部材２２が所定の変位状態となったことを検知する機能を有する。また、上述した所定の演出は、制御回路１４０の制御によって行ってもよく、制御回路１４０以外の制御装置によって行ってもよい。制御回路１４０が上述した所定の演出を行う場合には、これが演出制御手段の一例に相当し、他の制御装置が行う場合には、これが演出制御手段の一例に相当する。なお、本実施形態では、検知スイッチ７３により操作部材２２が最下位置と検知してから、所定時間経過後にモータ１８を駆動してカム部品６０を図９で示す反時計回りに回転させ、操作部材２２を基準位置に復動させるようにしている。
【００６８】
ここで、操作スイッチ１０及びパチンコ機１の効果を例示する。
操作スイッチ１０は、磁界を発生させる電磁石１３０（発生部）と、操作部材２２の変位と連動して変位すると共に少なくとも一部が機能性流体１０２に浸漬された状態で配置される変位部１２０とを備えた抵抗装置１００を有する。この抵抗装置１００は、電磁石１３０（発生部）が機能性流体１０２に磁界を与えたときに、機能性流体１０２に磁界を与えず操作部材２２の変位に逆らう抵抗力を与えていないときよりも抵抗力を増大させる構成をなす。
【００６９】
この構成によれば、電磁石１３０（発生部）が機能性流体１０２に磁界を与えたときに操作部材２２の変位に逆らう抵抗力を相対的に大きくすることができるため、この状態で操作部材２２を操作したときには相対的に大きい抵抗力に抗した操作を行うような操作感覚となる。一方、電磁石１３０（発生部）が機能性流体１０２に磁界を与えていないときには操作部材２２の変位に逆らう抵抗力を相対的に小さくすることができるため、この状態で操作部材２２を操作したときには相対的に小さい抵抗力に抗した操作を行うような操作感覚となる。特に、変位部１２０と直接接触する機能性流体１０２の粘性を変化させることで抵抗力を変化させることができるため、大きな抵抗力の変化を生じさせやすく、しかも、変位部１２０に接触する部分が機能性流体１０２であるため摩耗や損傷などの問題も生じにくい。このように、本構成によれば、遊技者の操作感覚をより確実に変化させうる構成をより簡易に実現することができる。
【００７０】
本構成の操作スイッチ１０は、電磁石１３０（発生部）による磁界の発生を制御する制御回路１４０を有する。この構成によれば、遊技者の操作感覚を変化させる制御を制御回路１４０によって電気的に行うことができる。また、電気的な制御が可能なため、操作部材２２の抵抗力をフリー状態から操作できない程度まで無段階で調整することができる。したがって、経時的に抵抗力を変化させて遊技者の興趣を高めることができ、延いては操作部材２２の所定位置を保持する保持手段として、遊技者に操作部材２２を無用に操作できないようにすることもできる。
【００７１】
本構成の操作スイッチ１０は、操作部材２２を所定位置（具体的には特別位置）に移動させ得る移動装置１２（移動手段）を有する。そして、制御回路１４０は、操作部材２２が所定位置にあるときに電磁石１３０（発生部）に対し磁界を発生させる制御を行う構成となっている。この構成によれば、所定位置にある操作部材２２を操作するときに相対的に大きい抵抗力を生じさせ得る装置を実現できる。
【００７２】
本構成の操作スイッチ１０は、操作部材２２と抵抗装置１００の変位部１２０とを連動させる伝達機構１４を有する。この構成によれば、操作部材２２から離れた位置に変位部１２０（機能性流体１０２に接触する部分）を設けることができるため、設計上の自由度が高まり、変位部１２０や機能性流体１０２などを操作部材２２から離れた位置に配置することが望まれる構成において有利になる。
【００７３】
本構成の操作スイッチ１０において、機能性流体１０２は、磁界が与えられることにより粘性が変化する磁気粘性流体となっている。そして、発生部は、励磁状態と非励磁状態とに切り替え可能に構成され励磁状態のときに収容部１１０に収容された磁気粘性流体に及ぶ磁束を発生させる電磁石１３０によって構成されている。この構成によれば、遊技者の操作感覚をより確実に変化させうる構成を、磁気粘性流体や電磁石などを用いてより簡易に実現することができる。
【００７４】
本発明の操作スイッチ１０において、操作部材２２は、所定範囲内で往復動可能となるようにベース部材３０に保持されている。そして、移動装置１２は、操作部材２２を所定範囲の一端と他端の間の所定中間位置で保持する保持手段として機能している。この構成によれば、操作部材２２が所定の変位範囲で往復動可能且つ所定の中間位置で保持可能とされた装置において、遊技者の操作感覚をより確実に変化させる構成を付加することができる。
【００７５】
本構成の操作スイッチ１０は、操作部材２２が所定の変位状態となったことを検知する検知スイッチ７３（検知手段）と、検知スイッチ７３（検知手段）により所定の変位状態が検知された場合に遊技機において所定の演出を行う演出制御手段とを有する。この構成によれば、操作部材２２が所定の変位状態とされたときに遊技機において所定の演出を行うことができ、このような操作部材２２において遊技者の操作感覚を変化させる動作を行うことで、遊技に一層の面白みをもたせることができる。
【００７６】
[第２実施形態]
次に、第２実施形態について説明する。
図１４〜図１７に示す第２実施形態の操作スイッチ２１０は、コイルばねとして構成されるばね部材２０２を設けた点のみが第１実施形態と異なり、それ以外は、第１実施形態と同様の構成をなす。よって、第１実施形態と同様の構成をなす部分については、第１実施形態と同一の符号を付し、詳細な説明を省略する。なお、ばね部材２０２を設けた点以外は、図１〜図１３と同様であるため、適宜これらの図を参照する。
【００７７】
この操作スイッチ２１０は、昇降ベース３４とボタンベース２４の間にばね部材２０２が設けられ、第１実施形態と同様の所定の遊技条件が成立していない通常時には、図１４、図１５のように、操作部２０が重力によって下方に移動しようとする力と、ばね部材２０２による押圧力（弾発力）とが釣り合い、操作部２０が所定の高さ（操作部材２２が第１実施形態と同様の基準位置（通常位置）となる高さで維持される。このとき、図１４に示すように、カム部品６０のカム部６２と第２昇降部材４６のローラ４６Ｂとは離間しており、操作部２０は基準位置（通常位置）と図１７で示す押下位置とはばね部材２０２の弾発により復動するため、制御回路１４０によるモータ１８の駆動動作はなされず、モータ１８の駆動軸１８Ａは、所定の初期位置で維持される。このように、通常時にはモータ１８の駆動動作が不要となるため、消費電力を低減することができる。
【００７８】
そして、所定の遊技条件が成立したときには、制御回路１４０は、図１４においてカム部６２が反時計回りに回転するようにモータ１８を回転させ、カム部６２が図１６の回転位置になるまでモータ１８の駆動軸１８Ａを回転させる。この動作は第１実施形態において特別位置に移動させる動作と同様である。操作部材２２が図１６で示す特別位置に達すると、制御回路１４０はモータ１８の回転を停止させる。
【００７９】
そして、図１６のような状態のときに操作部材２２が下方側に押されると、昇降機構４０が第１実施形態と同様に動作し、第１昇降部材４２及び第２昇降部材４６が下降するとともに、カム部６２の外周部が第２昇降部材４６によって押され、図１６において時計回りに回動する。操作部材２２は、第１実施形態と同様、図１７で示す押下位置まで下降することができるようになっている。
【００８０】
この構成でも、制御回路１４０（図１３）による抵抗装置１００（図１３）の制御が付加される。具体的には、第１実施形態と同様、図１６で示す特別位置を「所定位置」とすることができ、この場合、操作部材２２が特別位置になったとき、或いは操作部材２２が特別位置になったときであって所定条件が成立しているときに、制御回路１４０は、電磁石１３０（発生部）を励磁状態に制御して磁界を発生させ、機能性流体１０２の粘度を増大させる。これにより、変位部１２０が回転し難くなり操作部材２２が下方に移動しにくくなるため、遊技者は操作部材２２を押したときに、電磁石１３０（発生部）が機能性流体１０２に対して磁界を与えていない状態、つまり回転連動機構５０を回転させるだけの抵抗に抗して押圧するときと比して、押圧時の抵抗力が増大し、操作感覚の変化（操作部材２２が押下されにくくなった変化）を確実に感じることができる。また、本構成でも、このような操作部材２２の押下操作によって図１７で示す押下位置となり、検知スイッチ７３から制御回路１４０に対して検知信号が出力された場合には、第１実施形態と同様の所定の演出を行うことができる。なお、本実施形態において、基準位置（通常位置）への復動は、ばね部材２０２の付勢により行うようにして、操作部材２２を特別位置から押圧操作する際にのみ抵抗装置１００を作用するようにしたが、図１４に示す基準位置（通常位置）においてもカム部品６０のカム部６２と第２昇降部材４６のローラ４６Ｂとを摺接させて、操作部材２２の押圧動作の際に抵抗力を付加するようにしてもよい。
【００８１】
[第３実施形態]
次に、第３実施形態について説明する。
第３実施形態の操作スイッチ３１０は、図１８のように、遊技機に直接又は他部材を介して間接的に取り付けられるベース部材３３０と、ベース部材３３０に保持され、ベース部材３３０に対して基準位置から所定方向に所定の範囲内で相対的に変位可能に配置された操作部材３２２とを備える。具体的には、ベース部材３３０は、操作部材３２２を上下動可能に保持しており、更に、ベース部材３３０の板状部３３２と操作部材３２２の下面部３２２Ａの間には、移動手段としてのばね部材３０２が介在している。操作部材３２２は、ばね部材３０２によって上方側に移動させる付勢力が付与されており、操作部材３２２に対して外部から押圧力が付与されていないときには、操作部材３２２は、図１８で示す基準位置で保たれるようになっている。
【００８２】
操作部材３２２の下面部３２２Ａから下方側に延びるように延出部３２４が形成され、ベース部材３３０の板状部３３２から下方に臨む延出部３２４の先端寄り部分の側部には、ラックギア３２４Ａが形成されている。また、本構成では、ベース部材３３０の下方に固定されたケース体３９０に抵抗手段として第１実施形態と同様の抵抗装置１００が固定されており、この抵抗装置１００の回転軸部１２２には、ピニオンギア３４０が取り付けられている。そして、ラックギア３２４Ａとピニオンギア３４０によってラックアンドピニオン機構（伝達機構）が構成されている。この構成では、操作部材３２２の上下動と連動して、ピニオンギア３４０及び回転軸部１２２が一体的に回転する。なお、ケース体３９０には操作部材３２２が所定の変位状態（押圧位置）となったことを検知する検知スイッチ３７１（検知手段）が設けられており、延出部３２４の下方側方（ラックギア３２４Ａの反対側）に延設された検知部３２４Ｃが近接することにより作用する。
【００８３】
本構成でも、第１実施形態の制御回路１４０（図１３）と同様の制御回路（図示略）が設けられ、この制御回路は、所定のタイミング（例えば、第１実施形態で説明した「所定の遊技条件が成立したとき」など）に電磁石１３０（発生部）を励磁状態に制御して磁界を発生させ、機能性流体１０２（図１３）の粘度を増大させる。これにより、変位部１２０（回転軸部１２２）の回転に対する抵抗力が増大し、ラックギア３２４Ａが上下動しにくくなるため、遊技者は操作部材３２２を押したときに、電磁石１３０（発生部）が機能性流体１０２に対して磁界を与えていない状態、つまりばね部材３０２だけの付勢（抵抗）に抗して押圧するときと比して、押圧時の抵抗力が増大し、操作感覚の変化（操作部材３２２が押下されにくくなった変化）を確実に感じることができる。
【００８４】
[第４実施形態]
次に、第４実施形態について説明する。
第４実施形態の操作スイッチ４１０は、図１９、図２０のように、遊技機に直接又は他部材を介して間接的に取り付けられるベース部材４３０と、ベース部材４３０に保持され、ベース部材４３０に対して基準位置から所定方向に所定の範囲内で相対的に変位可能に配置された操作部材４２２とを備える。具体的には、ベース部材４３０は、回転軸線Ｙ１を中心として回転し得るように操作部材４２２を回転可能に保持しており、操作部材４２２の回転軸線Ｙ１が、抵抗装置１００の回転軸部１２２の回転軸線にもなっている。
【００８５】
操作部材４２２は、図２０のように、ベース部材４３０から外部に露出する第１部材４２２Ａと、この第１部材４２２Ａの下端部に取り付けられる円板状の第２部材４２２Ｂとを有し、この第２部材４２２Ｂの下面から下方側に軸部４２３が延びている。ベース部材４３０は、複数の部品によって箱状に構成されており、内部には、上記軸部４２３を回転可能に支持する軸受部４３２と、第２部材４２２Ｂの円板状部分の下面を支持する支持板４３４とが設けられている。
【００８６】
操作部材４２２は、回転軸線Ｙ１を中心として所定の変位範囲（所定の回転範囲）で双方向の回動が可能となるようにベース部材４３０に保持されている。更に、ベース部材４３０の内部には、第２部材４２２Ｂの周縁部とベース部材４３０の内壁部とを連結するようにばね部材４５１、４５２が設けられ、操作部材４２２を変位範囲（回動範囲）の一端と他端の間の所定中間位置で保持する保持手段として機能する。また、このばね部材４５１、４５２は、移動手段の一例に相当し、操作部材４２２を図１９、図２０で示す所定の基準位置に戻す方向に付勢する機能を有する。つまり、操作部材４２２が操作されていないときには、ばね部材４５１、４５２によって操作部材４２２が図１９に示す基準位置（所定の回転範囲の中間位置）で保たれるようになっている。
【００８７】
また、本構成では、ベース部材４３０の底壁部４３０Ａに第１実施形態と同様の抵抗装置１００が固定されており、上述した軸部４２３に抵抗装置１００の回転軸部１２２が固定されている。つまり、抵抗装置１００の変位部１２０と操作部材４２２が一体的に回転するように構成されている。
【００８８】
本構成でも、第１実施形態の制御回路１４０（図１３）と同様の制御回路（図示略）が設けられ、この制御回路は、所定のタイミング（例えば、第１実施形態で説明した「所定の遊技条件が成立したとき」など）に電磁石１３０（発生部）を励磁状態に制御して磁界を発生させ、機能性流体１０２（図１３）の粘度を増大させる。これにより、変位部１２０（回転軸部１２２）の回転に対する抵抗力が増大し、操作部材４２２が回転しにくくなるため、遊技者は操作部材４２２を回転させるときに、電磁石１３０（発生部）が機能性流体１０２に対して磁界を与えていない状態、つまりばね部材４５１、４５２だけの付勢（抵抗）に抗して回転するときと比して、回転操作時の抵抗力が増大し、操作感覚の変化（操作部材４２２が回転しにくくなった変化）を確実に感じることができる。
【００８９】
[第５実施形態]
次に、第５実施形態について説明する。
図２１で示す第５実施形態の操作スイッチ５１０は、遊技機に直接又は他部材を介して間接的に取り付けられるベース部材５３０と、ベース部材５３０に保持され、ベース部材５３０に対して基準位置から所定方向に所定の範囲内で相対的に変位可能に配置された操作部材５２２とを備える。具体的には、ベース部材５３０は、操作部材５２２を所定方向に沿って往復動し得るようにスライド可能に保持している。
【００９０】
操作部材５２２は、ベース部材５３０から外部に露出する長手状の第１部材５２２Ａと、この第１部材５２２Ａの下端部に連結された長手状の第２部材５２２Ｂとを有し、この第２部材５２２Ｂの下面部５２４には、ラックギア５２４Ａが形成されている。また、本構成では、ベース部材５３０に第１実施形態と同様の抵抗装置１００が固定されており、この抵抗装置１００の回転軸部１２２には、ピニオンギア５４０が取り付けられている。そして、ラックギア５２４Ａとピニオンギア５４０によってラックアンドピニオン機構（伝達機構）が構成されている。この構成では、操作部材５２２のスライド動作と連動して、ピニオンギア５４０及び回転軸部１２２が一体的に回転する。
【００９１】
操作部材５２２は、所定の変位範囲（所定のスライド範囲）で往復動が可能となるようにベース部材５３０に保持されている。更に、ベース部材５３０の内部には、第２部材４２２Ｂの両端部とベース部材５３０の内壁部とを連結するようにばね部材５５１、５５２が設けられている。このばね部材５５１、５５２は、保持手段の一例に相当し、操作部材５２２を変位範囲（スライド範囲）の一端と他端の間の所定中間位置で保持するように機能する。また、ばね部材５５１、５５２は、移動手段の一例に相当し、操作部材５２２を図２１で示す所定の基準位置に戻す方向に付勢する機能を有する。このような構成であるため、操作部材５２２は、外部からの操作がなされていないときには、ばね部材５５１、５５２の付勢力によって図２１に示す基準位置（所定のスライド範囲の中間位置）で保たれるようになっている。
【００９２】
本構成でも、第１実施形態の制御回路１４０（図１３）と同様の制御回路（図示略）が設けられ、この制御回路は、所定のタイミング（例えば、第１実施形態で説明した「所定の遊技条件が成立したとき」など）に電磁石１３０（発生部）を励磁状態に制御して磁界を発生させ、機能性流体１０２（図１３）の粘度を増大させる。これにより、変位部１２０（回転軸部１２２）の回転に対する抵抗力が増大するため、遊技者は操作部材５２２をスライドさせるときに、電磁石１３０（発生部）が機能性流体１０２に対して磁界を与えていない状態、つまりばね部材５５１、５５２だけの付勢（抵抗）に抗してスライドするときと比して、スライド操作時の抵抗力が増大し、操作感覚の変化（操作部材５２２がスライドしにくくなった変化）を確実に感じることができる。
【００９３】
なお、ベース部材５３０の内部には、検知スイッチ５７１、５７２がそれぞれ設けられており、操作部材５２２を一方側に移動させる操作を検知スイッチ５７１で検知することができ、操作部材５２２を他方側に移動させる操作を検知スイッチ５７２で検知することができるようになっている。この検知スイッチ５７１、５７２は操作部材５２２が所定の変位状態となったことを検知する検知手段として機能し使い方は様々であり、例えば、第１の遊技状態（例えば、リーチ状態など）のときには操作部材５２２を検知スイッチ５７１側に移動させるように遊技方式を定め、第２の遊技状態（例えば、大当たり状態、確率変動状態など）のときには操作部材５２２を検知スイッチ５７２側に移動させるように遊技方式を定めるなどの例が挙げられる。また、本実施の形態では、ラックギア５２４Ａを第２部材５２２Ｂの下面部５２４の左半分（図２１参照）に設けて、操作部材５２２を特定の一方向（図２１で示す検知スイッチ５７１で検知する右方向）に移動させるときのみ、抵抗装置１００を作用可能にする構成にしており、例えば、第１の遊技状態のときに、電磁石１３０を励磁状態にして抵抗力を増大させ、遊技に変化を与えるようにしたが、ラックギア５２４Ａを第２部材５２２Ｂの下面部５２４全体に形成し、制御回路１４０は、操作部材５２２をいずれの方向に移動（スライド）させるときでも（例えば、第１の遊技状態及び第２の遊技状態のいずれのときでも）、電磁石１３０を励磁状態にして抵抗力を増大させるようにしてもよい。
【００９４】
[第６実施形態]
次に、第６実施形態について説明する。
図２２で示す第６実施形態の操作スイッチ６１０は、遊技機に直接又は他部材を介して間接的に取り付けられるベース部材６３０と、ベース部材６３０に保持され、ベース部材６３０に対して基準位置から所定方向に所定の範囲内で相対的に変位可能に配置された操作部材６２２とを備える。具体的には、ベース部材６３０は、操作部材６２２が回転軸線Ｚ１を中心として回転し得るように回転可能に保持している。
【００９５】
操作部材６２２は、レバー状に構成され、ベース部材６３０から外部に露出する一端部が操作対象部分とされ、他端部がベース部材６３０に回転可能に取り付けられている。操作部材６２２は、図２２において実線位置から一点鎖線の位置まで回動し得る構成となっている。そして、操作部材６２２を所定の回転方向（図２２で示す時計回りの方向）に付勢するばね部材６５０が設けられており、操作部材６２２が操作されていないときには、ばね部材６５０の付勢力によって操作部材６２２が図２２実線で示す基準位置で維持されるようになっている。
【００９６】
この操作部材６２２の端部には、回転軸線Ｚ１を中心とした円弧状のギア６２４Ａが形成されている。また、本構成では、ベース部材６３０に第１実施形態と同様の抵抗装置１００が固定されており、この抵抗装置１００の回転軸部１２２には、ギア６４０が取り付けられている。そして、ギア６２４Ａとギア６４０が歯車伝動（伝達機構）によって連動するようになっている。この構成では、操作部材６２２の回動動作と連動して、ギア６４０及び回転軸部１２２が一体的に回転する。
【００９７】
本構成でも、第１実施形態の制御回路１４０（図１３）と同様の制御回路（図示略）が設けられ、この制御回路は、所定のタイミング（例えば、第１実施形態で説明した「所定の遊技条件が成立したとき」など）に電磁石１３０（発生部）を励磁状態に制御して磁界を発生させ、機能性流体１０２（図１３）の粘度を増大させる。これにより、変位部１２０（回転軸部１２２）の回転に対する抵抗力が増大するため、遊技者は操作部材６２２を回転させるときに、電磁石１３０（発生部）が機能性流体１０２に対して磁界を与えていない状態、つまりギア６２４Ａとギア６４０の歯車伝動（伝達機構）を回転させるだけの抵抗に抗して回動するときと比して、回動時の抵抗力が増大し、操作感覚の変化（操作部材６２２が回転しにくくなった変化）を確実に感じることができる。
【００９８】
[第７実施形態]
次に、第７実施形態について説明する。
図２３〜図２５に示す第７実施形態の操作スイッチ７１０は、第１実施形態の昇降機構４０を昇降機構４００に変更し、回転連動機構５０を回転連動機構５００に変更した点が第１実施形態と異なる主な点である。図２３〜図２５では、第１実施形態と同様の構成をなす部分については、第１実施形態と同一の符号を付しており、以下の説明では、これら同様の構成についての詳細な説明は省略する。
【００９９】
操作スイッチ７１０は、昇降機構４００と回転連動機構５００によって伝達機構７１４が構成されており、この伝達機構７１４は、操作部材２２と抵抗装置１００の変位部１２０とを連動させるように機能する。そして、伝達機構７１４及びモータ１８によって移動手段としての移動装置７１２が構成され、操作部材２２を所定位置に移動させ得る構成をなす。なお、本実施形態においても、図５に示す第１実施形態のように、ベース部材３０のカバー部材３２には、近接センサなどによって構成される検知スイッチ７１，７２が操作部２０の移動に沿って上下に取り付けられており、ボタンベース２４の周縁下面に形成された延出部２４Ｃが、操作部２０が基準位置（通常位置）及び特別位置となったときに検知スイッチ７１，７２によって検知される検知部として機能するようになっている。
【０１００】
昇降機構４００は、図２３に示すように、カム部品６００と、第１昇降部材４２と、第２昇降部材４６０と、回動アーム４４０とを備える。カム部品６００は、図２４（Ｂ）のように、第１実施形態と同様の構成をなすモータ１８の駆動軸１８Ａに固定され、モータ１８の駆動軸１８Ａと偏心した位置に第２昇降部材４６０と連係する操作ピン６０１を備えている（図２３も参照）。
【０１０１】
第１昇降部材４２は、第１実施形態と同一の構成をなしており、第１実施形態と同一の構成をなす操作部２０と一体的に上下動する構成をなす。第２昇降部材４６０は、図２４（Ａ）のように、上部前面側には、回動アーム４４０（突起部４４０Ｂ）と連係する水平方向に長い長溝部４６０Ａが形成されており、その下方裏面側にはカム部品６００の操作ピン６０１が挿入されてこれと連係する逆Ｌ字状の溝４６０Ｂが形成されている。
【０１０２】
回動アーム４４０は、一端部（第１ギア５０１が形成された側の端部）が第１実施形態と同様の昇降ベース３４（図３、図５参照）側に回動可能に軸支され、他端部に形成された突起部４４０Ａが第１昇降部材４２に形成された長孔部４２Ａに挿入されて第１昇降部材４２と連係し、中間部に形成された突起部４４０Ｂが第２昇降部材４６０に形成された長溝部４６０Ａに挿入されて第２昇降部材４６０と連係する構成をなす。
【０１０３】
回転連動機構５００は、回動アーム４４０の一端部に形成され回動アーム４４０の揺動軸周りに回転する第１ギア５０１と、第１ギア５０１と噛み合って回転する第２ギア５０２と、第２ギア５０２と噛み合うと共に抵抗装置１００の回転軸部１２２に連結される第３ギア５０３とを備え、第１ギア５０１、第２ギア５０２、第３ギア５０３によって構成されるギア群が全て連動して回転するように動作する。
【０１０４】
このように構成された操作スイッチ７１０は、図２４（Ａ）（Ｂ）で示す基準位置の状態からモータ１８が駆動すると、駆動軸１８Ａに固定されたカム部品６００が回転し、操作ピン６０１が第２昇降部材４６０のＬ字溝４６０Ｂの水平溝上辺を押し上げることで第２昇降部材４６０が図示しないガイド部材に沿って上昇し、それに伴い長溝部４６０Ａに突起部４４０Ｂが連係している回動アーム４４０が揺動軸を中心に揺動上昇し、突起部４４０Ａが連係している第１昇降部材４２が上昇することで、操作部２０が図２５（Ａ）（Ｂ）で示す特別位置まで上昇する。操作部２０が基準位置から特別位置まで上昇するときには、回動アーム４４０の一端に形成された第１ギア５０１が回転することで、それに連動して、第２ギア５０２と、第３ギア５０３も回転するようになっており、第３ギア５０３に連結される抵抗装置１００の回転軸部１２２も回転する。なお、基準位置において、第１実施形態と同様に基準位置よりも下方の押圧位置まで押圧可能となっており、押圧位置を検知する検知スイッチ（図示せず）が操作部２０の押圧を検知し制御回路１４０に対して検知信号が出力されるようになっている。そして、操作部２０の押圧が検知された後に、所定時間経過した後或いは所定のタイミングでモータ１８を駆動し、操作部２０を基準位置に復動させる。このように、伝達機構７１４はモータ１８の駆動により操作部材２２を所定の範囲の一端（特別位置）と他端（押圧位置）の間の移動が可能であり、その所定中間位置（基準位置）で保持するため保持手段の役割をなす。
【０１０５】
図２５で示す特別位置のときには、図２５（Ｂ）で示すように、操作ピン６０１が駆動軸１８Ａの直上に位置し、遊技者が操作部２０を押圧しようとしても無用に押せないロック状態となる。即ち、第２昇降部材４６０に対して下方への力が加わってもカム部品６００が回動しないように作用するため、回動アーム４４が下側に回動しないようになり、操作部２０が下降しないようなロック状態となる。このようにロック状態となった後に、所定時間経過した後或いは所定のタイミングでモータ１８を駆動し操作ピン６０１をＬ字溝４６０Ｂの縦溝に移動させる。この動作により上述のロック状態が解除されるため操作部２０は押圧可能状態となる。このような押圧可能状態のときに抵抗装置１００の電磁石１３０を励磁状態にすると、機能性流体１０２の粘度が増大し、遊技者が操作部２０を押圧すると、電磁石１３０（発生部）が機能性流体１０２に対して磁界を与えていない状態、つまり回転連動機構５００を回転させるだけの抵抗に抗して押圧するときと比して、押圧時の抵抗力が増大し、通常時より抵抗（負荷）を感じることになるため、遊技の興趣を高めることができる。押圧可能状態のときに操作部２０が押圧された場合には、操作部２０は図２４で示す基準位置よりも下方に移動し得る。
【０１０６】
なお、操作部２０が特別位置にあるときに遊技者によって押圧操作されなかった場合、つまり操作部２０（延出部２４Ｃ）が検知スイッチ７２によって特別位置を所定時間経過したと判断された場合には、モータ１８を、操作ピン６０１が水平溝方向（図２５（Ｂ）で示す反時計回り方向）に回動するように駆動して、操作ピン６０１がＬ字溝４６０Ｂの水平溝下面を押圧することで操作部２０を基準位置に向けて下動させることができるようになっている。本実施の形態では、抵抗装置１００とモータ１８（昇降機構４００）とを直接的に連係していないため、第２実施形態と異なり通常時でも抵抗装置１００を使用することができる。
【０１０７】
[第８実施形態]
次に、第８実施形態について説明する。
図２６に示す第８実施形態の操作スイッチ８１０は、コイルばねとして構成されるばね部材８１１，８１２を設けた点のみが第７実施形態と異なり、それ以外は、第７実施形態と同様の構成をなすため、第７実施形態と同様の構成をなす部分については、第７実施形態と同一の符号を付し、詳細な説明を省略する。なお、第８実施形態の操作スイッチ８１０も、第１実施形態で説明した基本構成を採用しており、第１実施形態と同様の構成をなす部分については、第１実施形態と同一の符号を付し、詳細な説明を省略する。また、第８実施形態の操作スイッチ８１０は、動作の基本的な考え方は第２実施形態と同様である。
【０１０８】
図２６で示す操作スイッチ８１０は、昇降ベース３４とボタンベース２４の間において昇降ガイド軸３６Ａ，３６Ｂに巻装した形でばね部材８１１，８１２が設けられている。この操作スイッチ８１０は、第２実施形態とは異なり、図２６に示す特別位置の時には、操作部２０が重力によって下方に移動しようとする力と、ばね部材８１１，８１２による押圧力（弾発力）とが釣り合い、操作部２０が図２６で示す所定の高さ（操作部材２２が第１、第７実施形態と同様の特別位置となる高さ）で維持される。また、通常時には、モータ１８の駆動により、ばね部材８１１，８１２の付勢に抗して操作ピン６０１がＬ字溝４６０Ｂの水平溝下面を押圧することで基準位置に保持している。このとき、水平溝の高さ方向に余裕を持たせて（通常時から押圧位置に可動し得るストローク）ばね部材８１１，８１２の付勢に抗して押下位置へ押圧可能としている。したがって、通常時は、第２実施形態と同様、モータ１８を駆動することなく操作部２０を操作することができる。
【０１０９】
また、操作部２０を通常位置（基準位置）から特別位置に変位させる場合、制御回路１４０（図１３）がモータ１８を駆動し、操作ピン６０１をＬ字溝４６０Ｂの水平溝から垂直溝に移動させる（第７実施形態の図２４（Ｂ）の状態）。これにより、第２昇降部材４６０が操作ピン６０１による規制から解放されることになり、ばね部材８１１，８１２の付勢により操作部２０を一気に特別位置に上昇させることができる。この時操作部２０及び第１昇降部材４２，回動アーム４４０，第２昇降部材４６０は第７実施形態の図２５（Ｂ）の状態（特別位置）になるが、カム部品６００は第７実施形態の図２４（Ｂ）の状態にあり、操作ピン６０１はＬ字溝４６０Ｂの垂直溝の下方に位置している。したがって、遊技者はばね部材８１１，８１２の付勢に抗して操作部２０を操作することになる。なお、本実施の形態では、操作部２０の基準位置及び特別位置への上昇運動をモータ１８を使用することなく行うが、回動アーム４４０の一端に抵抗装置１００の回転軸部１２２に連結される第３ギア５０３と連動する第１ギア５０１が設けられていることにより、この構成でも、モータ１８の駆動に関係なく操作部２０の昇降に伴い抵抗装置１００の回転軸部１２２が回転することから、操作部材２２が基準位置であっても、或いは操作部材２２が特別位置になったときであっても、所定条件が成立しているときに、制御回路１４０（図１３）によって電磁石１３０（図１３）を励磁状態に制御して磁界を発生させることで操作部２０に対して抵抗力を付加することができる。
【０１１０】
[第９実施形態]
次に、第９実施形態について説明する。
図２７乃至図３２に示す第９実施形態の操作スイッチ９１０は、パチンコ機１等の遊技機において、遊技者による所定の人為的操作が可能に構成された操作部材９２２と、この操作部材９２２を変位可能に保持するベース部材９３０と、操作部材９２２を所定位置に移動させ得る移動手段としてのばね部材９１１と、操作部材９２２と抵抗装置１００とを連動させる伝達機構９５０とを備えている。具体的には、操作部材９２２は、ばね部材９１１と共に操作ユニット９２０として組み立てられ、全方位方向に傾動可能であり、且つ内方に押圧操作可能な操作スイッチ９１０である。
【０１１１】
ベース部材９３０は、一方が開放した筐体状に形成される第一ベース部材９３１と第二ベース部材９３２とを合体させることにより中空筐体状に形成され、操作部材９２２が第一ベース部材９３１の表面から操作可能に突出するように操作ユニット９２０が取り付けられる。
【０１１２】
操作ユニット９２０は、第一ベース部材９３１に取り付けられる操作部ベース９４１と、ベース部材９３０の内側で操作部ベース９４１に固着される中空円筒状に形成されたケース体９４５とを備え、操作部ベース９４１とケース体９４５を組み付けることで外郭を形成し、内部に収納空間部が形成される。操作部ベース９４１は、第一ベース部材９３１の表面に形成された開口９３３を塞ぐ鍔部９４１ａ備え、中央に操作部材９２２のシャフト部９２３が挿通される貫通孔９４１ｂが開設されている。操作部材９２２は、操作部ベース９４１の貫通孔９４１ｂを介してシャフト部９２３の先端に操作部材９２２の支点となる操作支点部材９２４がビス等により固着され、操作部材９２２を可動すると操作支点部材９２４も一体的に可動する。また、操作支点部材９２４と対向する操作部ベース９４１の裏側には、図３１に示すように、操作支点部材９２４が傾動する際の支点部位となる固定支点部材９４２が固設されている。
【０１１３】
操作支点部材９２４は、図２９に示すように、円錐台形の上面に形成されるすり鉢状の凹部９２５によって突条の支点部９２６が周設されている。固定支点部材９４２は、図３０に示すように、操作支点部材９２４の凹部９２５に嵌る凸部９４３を備え、その基端部にフランジ９４４が形成されている。そして、図３１に示すように固定支点部材９４２の凸部９４３が操作支点部材９２３の凹部９２５に嵌り、操作部材９２２をどの方向に傾動操作しても、図３２に示すように、操作支点部材９２４の支点部９２６がフランジ９４４と凸部９４３により形成される曲部に位置して、操作支点部材９２４の支点部位となるように構成している。
【０１１４】
ケース体９４５の内部には、ばね部材９１１と共にばね部材９１１の一端を収納支持する短円筒状のスライド部材９５１がケース体９４５内壁に沿って往復動するように収容され、図３１に示すように、スライド部材９５１が操作支点部材９２３と面接触状態となっている。つまり、図３１に示す常態では、ばね部材９１１の付勢によりスライド部材９５１が操作支点部材９２３を押し上げて、操作支点部材９２４の凹部９２５に固定支点部材９４２の凸部９４３が嵌り、操作部材９２２が所定の起立位置（基準位置）に安定保持される。
【０１１５】
また、ケース体９４５の底部中央には、図３０及び図３１に示すように、棒状の操作クランク９５２の一端が挿入される挿入孔９４５ａが形成され、ケース体９４５の外方から挿入された操作クランク９５２の一端が、ばね部材９１１を介してスライド部材９５１の受部９５１ａに嵌合し固着される。操作クランク９５２は円柱棒状に形成され、周面に断面十字状になるように長さ方向に沿ったリブが形成され、略中央に後述するデバイスクランク９５４が連係する扁平部９５２ｂを形成すると共に、検知スイッチ９７３により操作部材９２２の可動を検知する板状の検知部９５２ａがリブに沿って形成されている。操作クランク９５２は、扁平部９５２ｂと検知部９５２ａがケース体９４５から突出するように取り付けられ、スライド部材９５１と共に一体的に可動する。
【０１１６】
このように、操作部ベース９４１とケース体９４５を組み付けることにより、図２８に示すように、操作部材９２２が操作可能な状態となる操作ユニット９２０が構築され、操作部材９２２を可動すると、スライド部材９５１がばね部材９１１の付勢に抗して可動するのに伴って、ケース体９４５から突出した操作クランク９５２が進退する。
【０１１７】
また、第二ベース部材９３２の内部に抵抗装置１００及び伝達機構９５０が収納される。抵抗装置１００及び伝達機構９５０は、操作クランク９５２の進退を検知する検知スイッチ９７３と共にユニットベース９６０に組み付けられ、このユニットベース９６０を第二ベース部材９３２の底壁に取り付けることで、抵抗装置１００と伝達機構９５０が第二ベース部材９３２の内部に収納される。
【０１１８】
伝達機構９５０は、上述したスライド部材９５１と操作クランク９５２と、先端に扇状ギア９５３を備えるデバイスクランク９５４と、抵抗装置１００の回転軸部１２２に固着されデバイスクランク９５４の扇状ギア９５３と噛合するデバイスギア９５５と、で構成されている。抵抗装置１００は、図２７に示すようにデバイスベース９６１を介してユニットベース９６０に取り付けられ、デバイスギア９５５の一端がデバイス軸受９６２に軸支されている。
【０１１９】
また、ユニットベース９６０には、図２７及び図２８に示すようにデバイスクランク９５４及び検知スイッチ９７３がそれぞれ支持部材９６３及びセンサカバー９６４を介して取り付けられている。デバイスクランク９５４は、扇状ギア９５３がデバイスギア９５５と噛合するように、支持部材９６３に支軸９６５によりシーソー状に回動自在に軸支している。具体的には、扇状ギア９５３側が長腕となるように軸支され、この支軸９６５を介して扇状ギア９５３と対向する短腕側に形成された二股部９５６に操作クランプ９５２の扁平部９５２ｂを挟持して、二股部９５６の長孔に軸ピン９６６により可動自在に連係している。このとき、操作クランプ９５２の自由端は、図３１に示すようにユニットベース９６０に開設した貫通孔９６０ａに挿通保持される。そして、操作部材９２２の可動によりスライド部材９５１及び操作クランク９５２が直動するのに伴ってデバイスクランク９５４が支軸９６５を中心に回動し、扇状ギア９５３と噛合するデバイスギア９５５を回転させることにより抵抗装置１００の回転軸部１２２が回転する。
【０１２０】
このように構成される操作スイッチ９１０は、全方位方向に傾動操作可能であり、スライド部材９５１の直動方向への押圧も操作可能である。操作部材９２２が図３１に示す所定の起立位置（基準位置）に保持される状態では、操作クランク９５２の検知部９５２ａが検知スイッチ９７３に検知されないオフ状態にある。そして、例えば遊技者が図３２に示すように操作部材９２２を傾動操作すると、操作支点部材９２４の支点部９２６が固定支点部材９４２と接触する部位を支点として傾動するのに伴って、操作支点部材９２４がスライド部材９５１をばね部材９１１の付勢に抗して押圧し、スライド部材９５１に固着された操作クランク９５２が直動する。このとき、操作クランク９５２の直動に伴い検知部９５２ａが検知スイッチ９７３で検知され、オン状態となり操作部材９２２の可動を検知する。
【０１２１】
そして、操作クランク９５２が直動すると、操作クランク９５２に連係されたデバイスクランク９５４が支軸９６５を中心に回動し、扇状ギア９５３と噛合するデバイスギア９５５を回転させることにより抵抗装置１００の回転軸部１２２を回動させる。なお、ケース体９４５に形成した挿入孔９４５ａ及びユニットベース９６０に開設した貫通孔９６０ａは、操作クランク９５２の水平断面形状と略同じ形状をしており、挿通される操作クランク９５２のガイドとなり、リブによって長手方向を軸とする回転が規制され、操作クランク９５２が確実に直動するようになっている。
【０１２２】
本構成でも、第１実施形態の制御回路１４０（図１３参照）と同様の制御回路（図示略）が設けられ、この制御回路は、所定のタイミング（例えば、第１実施形態で説明した「所定の遊技条件が成立したとき」など）に電磁石１３０（発生部）を励磁状態に制御して磁界を発生させ、機能性流体１０２（図１３参照）の粘度を増大させる。これにより、変位部１２０（回転軸部１２２）の回転に対する抵抗力が増大するため、遊技者は操作部材９２２を操作するときに、電磁石１３０（発生部）が機能性流体１０２に対して磁界を与えていない状態、つまりばね部材９１１だけの付勢（抵抗）に抗して操作するときと比して、操作時の抵抗力が増大し、操作感覚の変化（操作部材９２２が傾動・押圧しにくくなった変化）を確実に感じることができる。
【０１２３】
特に、本実施の形態では、デバイスクランク９５４が支軸９６５により軸支される軸支部と操作クランク９５２が二股部９５６に軸ピン９６６で連係される連係部との距離に比して、デバイスクランク９５４の軸支部から扇状ギア９５３までの距離を長く設定しているため、操作クランク９５２の直動距離に比してデバイスクランク９５４の扇状ギア９５３が大きく動き、抵抗装置１００の回転軸部１２２をより多く回動させる。そのため、「所定の遊技条件が成立したとき」などには、操作部材９２２の操作時に抵抗装置１００の抵抗をより感じることができる。
【０１２４】
このように、本実施の形態では操作部材９２２を押圧または全方位方向に傾動しても、操作支点部材９２３に押されたスライド部材９５１及び操作クランク９５２が直線運動を行うので、検知部９５２ａが検知スイッチ９７３を確実にオンオフ動作することができる。延いては伝達機構９５０の動作が一定になるため、抵抗装置１００の負荷を確実に操作部材９２２に伝えることができる。
【０１２５】
［他の実施形態]
本発明は上記記述及び図面によって説明した実施形態に限定されるものではなく、例えば次のような実施形態も本発明の技術的範囲に含まれる。
【０１２６】
上述した実施形態では、遊技機の例として、パチンコ機を例示したが、スロットマシンなどの公知の他の操作スイッチが設けられる遊技機に適用してもよい。
【０１２７】
上述した実施形態では、抵抗手段の変位部を回転部として例示したが、変位部は、少なくとも一部が磁気粘性流体に浸漬されるスライド部材として構成されていてもよい。この場合、操作部材と上記スライド部材を直結させても、操作部材と上記スライド部材を連動させる伝達機構が設けられていればよい。
【０１２８】
上述した実施形態では、制御回路１４０が操作スイッチの内部に設けられた例を示したが、外部に設けられていてもよい。
【０１２９】
また、抵抗装置（抵抗手段）において、機能性流体１０２は、電界が与えられることにより粘性が変化する電気粘性流体（ＥＲ流体）であってもよい。図３３の抵抗装置９００は、電磁石１３０に代えて、電極９０２Ａ，９０２Ｂを設け、この電極９０２Ａ，９０２Ｂの電位差を制御し得るように構成した点が、上述した実施形態の抵抗装置１００と異なり、それ以外は、抵抗装置１００と同様である。図３３の例では、収容部１１０における機能性流体１０２（電気粘性流体）の収容領域を挟むように配置された電極９０２Ａ，９０２Ｂによって電極対９０２が構成されている。具体的には、回転翼１２４の外周面全体に亘り、機能性流体１０２に接触し得るように電極９０２Ａが配置され、収容部１１０の内壁面全体に亘り、機能性流体１０２に接触し得るように電極９０２Ｂが配置されている。制御回路１４０は、例えば上述したマイクロコンピュータなどに加え、電極９０２Ａ、９０２Ｂの間の電圧を制御し得る電圧制御回路を備えており、所定のタイミングで電極９０２Ａ、９０２Ｂに間に所定の電圧を印加するようになっている。電極９０２Ａ、９０２Ｂの電位差を大きくすることで、機能性流体１０２の粘度が高まり、変位部１２０を回転させる際の抵抗力が大きくなる。この抵抗装置９００は、上述したいずれの実施形態にも適用でき、電圧を印加する所定のタイミングは、上述した実施形態のいずれのタイミングであってもよい。この構成によれば、遊技者の操作感覚をより確実に変化させうる構成を、電気粘性流体や電極対９０２などを用いてより簡易に実現することができる。なお、図３３では、電極対の配置の一例を示したが、電気粘性流体の粘度を変化させ得る配置であればこの構成に限定されない。
【０１３０】
実施例１、２などでは、モータ１８を駆動する制御回路と、抵抗装置１００を制御する制御回路とが同一であったが、別々に設けられていてもよい。
【符号の説明】
【０１３１】
１…パチンコ機（遊技機）
１０，２１０，３１０，４１０，５１０，６１０，７１０，８１０，９１０…操作スイッチ（遊技機用操作スイッチ）
１２，７１２…移動装置（移動手段、保持手段）
１４，７１４，９５０…伝達機構
２２，３２２，４２２，５２２，６２２，９２２…操作部材
３０，３３０，４３０，５３０，６３０，９３０…ベース部材
４０，４００…昇降機構（伝達機構）
５０，５００…回転連動機構（伝達機構）
７３，３７１，５７１，５７２，９２３…検知スイッチ（検知手段）
１００，９００…抵抗装置（抵抗手段）
１０２…機能性流体（磁気粘性流体、電気粘性流体）
１１０…収容部
１２０…変位部
１３０…電磁石（発生部）
１４０…制御回路（制御手段、演出制御手段）
２０２，３０２，６５０，８１１，８１２…ばね部材（移動手段）
４５１，４５２，５５１，５５２，９１１…ばね部材（移動手段、保持手段）
９０２…電極対（発生部）
【図１】
2017213354.tif 000003
【図２】
2017213354.tif 000004
【図３】
2017213354.tif 000005
【図４】
2017213354.tif 000006
【図５】
2017213354.tif 000007
【図６】
2017213354.tif 000008
【図７】
2017213354.tif 000009
【図８】
2017213354.tif 000010
【図９】
2017213354.tif 000011
【図１０】
2017213354.tif 000012
【図１１】
2017213354.tif 000013
【図１２】
2017213354.tif 000014
【図１３】
2017213354.tif 000015
【図１４】
2017213354.tif 000016
【図１５】
2017213354.tif 000017
【図１６】
2017213354.tif 000018
【図１７】
2017213354.tif 000019
【図１８】
2017213354.tif 000020
【図１９】
2017213354.tif 000021
【図２０】
2017213354.tif 000022
【図２１】
2017213354.tif 000023
【図２２】
2017213354.tif 000024
【図２３】
2017213354.tif 000025
【図２４】
2017213354.tif 000026
【図２５】
2017213354.tif 000027
【図２６】
2017213354.tif 000028
【図２７】
2017213354.tif 000029
【図２８】
2017213354.tif 000030
【図２９】
2017213354.tif 000031
【図３０】
2017213354.tif 000032
【図３１】
2017213354.tif 000033
【図３２】
2017213354.tif 000034
【図３３】
2017213354.tif 000035